(57)【要約】【課題】様々な種類の媒体を適切に読み取ることができる画像読取装置を提供する。【解決手段】スキャナー１は、用紙Ｐを搬送する搬送部９と、搬送される用紙Ｐを読み取る第１読取部３２、第２読取部４２と、読み取られる用紙Ｐを挟んで第１読取部３２、第２読取部４２と対向する位置に設けられる第１背景板３７及び第２背景板４７と、第１背景板３７及び第２背景板４７の発光の度合を変更可能な第１のバックライト５０、第２のバックライト６０と、第１読取部３２、第２読取部４２において読み取られる用紙Ｐに応じて、第１のバックライト５０、第２のバックライト６０の発光の度合を制御する制御部１９と、を備える。【選択図】図１
2019134281.tif 000002
【特許請求の範囲】
【請求項１】
媒体を搬送する搬送部と、
前記媒体に光を照射する光源を備え、搬送される前記媒体を読み取る読取部と、
読み取られる前記媒体を挟んで前記読取部と対向する位置に設けられる背景板と、
前記背景板の前記読取部と対向する面を発光させるとともに、発光の度合を変更可能なバックライトと、
前記読取部において読み取られる前記媒体に応じて、前記バックライトの発光の度合を制御する制御部と、を備える、
ことを特徴とする画像読取装置。
【請求項２】
請求項１に記載の画像読取装置において、
前記読取部は、
前記媒体の第１面に光を照射する第１光源を備え、前記媒体の前記第１面を読み取る第１読取部と、
前記媒体の第１面の反対面である第２面に光を照射する第２光源を備え、前記第１読取部よりも媒体搬送方向下流側において、前記媒体の前記第２面を読み取る第２読取部と、を含み、
前記第１読取部に対応する前記背景板である第１背景板に設けられる、前記バックライトとしての第１のバックライトは、搬送される前記媒体の面に対する垂直方向において、前記第２読取部と少なくとも一部が重なる位置に設けられ、
前記第２読取部に対応する前記背景板である第２背景板に設けられる、前記バックライトとしての第２のバックライトは、搬送される前記媒体の面に対する垂直方向において、前記第１読取部と少なくとも一部が重なる位置に設けられる、
ことを特徴とする画像読取装置。
【請求項３】
請求項１または請求項２に記載の画像読取装置において、
前記制御部は、
前記媒体が第１の媒体である場合に、前記バックライトを第１の発光状態にして、
前記媒体が前記第１の媒体よりも相対的に薄い第２の媒体であり、且つ、前記媒体が片面にのみ記録が行われた片面記録媒体である場合に、前記バックライトを前記第１の発光状態よりも相対的に強い第２の発光状態にして、
前記媒体が前記第２の媒体であり、且つ、前記媒体が両面に記録が行われた両面記録媒体である場合に、前記バックライトを前記第１の発光状態にする、
ことを特徴とする画像読取装置。
【請求項４】
請求項１から請求項３のいずれか一項に記載の画像読取装置において、
前記バックライトは、媒体搬送方向と交差する幅方向に複数並べて設けられ、発光の度合を個別に変更可能に構成されている、
ことを特徴とする画像読取装置。
【請求項５】
請求項１または請求項２に記載の画像読取装置において、
前記バックライトは、媒体搬送方向と交差する幅方向に複数並べて設けられ、発光の度合を個別に変更可能に構成されており、
前記制御部は、前記媒体が穴を有する穴有り媒体である場合に、複数の前記バックライトのうち、前記幅方向の端部側のバックライトを第１の発光状態にして、前記幅方向の中央領域のバックライトを前記第１の発光状態よりも相対的に強い第２の発光状態にする、
ことを特徴とする画像読取装置。
【請求項６】
請求項１から請求項５のいずれか一項に記載の画像読取装置において、
前記制御部は、前記媒体の搬送位置に応じて前記バックライトの発光の度合を制御可能に構成されている、
ことを特徴とする画像読取装置。
【請求項７】
請求項１から請求項５のいずれか一項に記載の画像読取装置において、
前記制御部は、本読取モードの前に前記バックライトを所定の光量で点灯させて行うプレビュー読取モードを実行可能であり、
前記プレビュー読取モードによる読み取り結果に基づいて、前記本読取モードにおける前記バックライトの発光の度合を制御可能に構成されている、
ことを特徴とする画像読取装置。
【請求項８】
請求項７に記載の画像読取装置において、
前記制御部は、前記プレビュー読取モードによる読み取り結果に基づいて、前記バックライトの光量を前記プレビュー読取モードにおける光量よりも抑制する抑制エリアをユーザーに指定させるための指定画面を表示部に表示させ、前記指定画面を介して指定された前記抑制エリアに基づいて、前記本読取モードにおける前記バックライトの発光の度合を設定する、
ことを特徴とする画像読取装置。
【請求項９】
請求項８に記載の画像読取装置において、
前記本読取モードにおける前記バックライトの制御の設定を設定パターンとして記憶する記憶部を備え、
前記制御部は、前記記憶部から前記設定パターンを読み出し、当該設定パターンに基づいて前記本読取モードを実行可能である、
ことを特徴とする画像読取装置。
【請求項１０】
請求項２に記載の画像読取装置において、
前記制御部は、前記媒体の一度の搬送で前記第２面の画像のみを読み取る場合に、前記第１読取部による読み取り結果に基づいて前記媒体にある穴の位置を検出し、前記穴の検出位置に基づいて、前記第２読取部で読み取られた画像に対し、前記穴の読み取り跡を消す穴消し処理を実行可能である、
ことを特徴とする画像読取装置。
【請求項１１】
媒体に光を照射する光源を備え、搬送される前記媒体を読み取る読取部と、
読み取られる前記媒体を挟んで前記読取部と対向する位置に設けられる背景板と、
前記背景板の前記読取部と対向する面を発光させるとともに、発光の度合を変更可能なバックライトと、を備える画像読取装置の制御に用いるスキャナードライバーであって、
プレビュー指示を受け付け、前記読取部によって所定解像度で前記媒体を読み取った結果をプレビュー画像として表示手段に表示させ、前記プレビュー画像において前記バックライトの光量を前記プレビュー画像取得時における光量よりも抑制する抑制エリアをユーザーに指定させるための指定画面を前記表示手段に表示させ、前記抑制エリアに係る情報を取得する機能を含む、
ことを特徴とするスキャナードライバー。
【発明の詳細な説明】
【技術分野】
【０００１】
本発明は、媒体を読み取る画像読取装置に関する。
【背景技術】
【０００２】
媒体の画像を読み取る画像読取装置の一例であるスキャナーにおいて、媒体に光を照射して反射光を読み取るＣＩＳ方式（密着型イメージセンサー）や縮小光学方式（ＣＣＤイメージセンサー）等の光学式読取部を備えるものがある。
【０００３】
このようなスキャナーにおいて、読取部に対し、読み取り対象の媒体を挟んで対向する位置には、通常、背景板が設けられている。背景板は、例えば、黒や灰色等の黒色系や白色系である場合が多い。
【０００４】
黒色系の背景板を用いると、地色が白や薄色の媒体とのコントラストにより、読み取られる媒体のサイズを検知したり、媒体を綴じるために設けられた穴等を検知したりすることができる。  
しかし、背景板が黒色系である場合、媒体が薄紙であると、媒体に照射された光が透過してしまうことで読取面での反射光が減少し、読み取った媒体の地色の濃度が上昇する、すなわち、地色が暗く読み取られてしまう場合がある。地色が暗くなると、画像が文字である場合には地色と文字とのコントラストが小さくなるため、文字が読み難くなる。
【０００５】
このような、地色が暗く読み取られてしまう現象を抑制するため、特許文献１には、背景板側（読取面の反対側）に補助光源を設け、媒体に照射された光が透過することで媒体からの反射光が減少する場合に、減少した反射光の分を補助光源からの光で補うように構成された画像読取装置が開示されている。
【先行技術文献】
【特許文献】
【０００６】
【特許文献１】特開２０１０−９３３３０号公報
【発明の概要】
【発明が解決しようとする課題】
【０００７】
一方、白色系の背景板を用いると、媒体が薄紙であっても、地色が暗く読み取られてしまう虞は低減される。  
しかし、両面に記録が行われた両面記録媒体のおもて面の画像を読み取る場合には、裏面側の文字や画像も同時に読み取られる、所謂、裏写りが生じる問題があった。裏写りは、読み取られる媒体が薄紙である場合に特に顕著になる。  
また、背景板が白色系である場合には、媒体の地色とのコントラストによる媒体サイズの検知や穴の検知は困難になる。  
特許文献１のように、背景板側から光を当てた場合も、背景板が白色系である場合と同様に、両面記録媒体の読み取り時に裏写りが生じる虞がある。また、媒体サイズの検知や穴の検知も難しくなる。
【０００８】
本発明はこの様な状況に鑑みてなされたものであり、その目的は、様々な種類の媒体を適切に読み取ることができる画像読取装置を提供することにある。
【課題を解決するための手段】
【０００９】
上記課題を解決する為の、本発明の第１の態様に係る画像読取装置は、媒体を搬送する搬送部と、前記媒体に光を照射する光源を備え、搬送される前記媒体を読み取る読取部と、読み取られる前記媒体を挟んで前記読取部と対向する位置に設けられる背景板と、前記背景板の前記読取部と対向する面を発光させるとともに、発光の度合を変更可能なバックライトと、前記読取部において読み取られる前記媒体に応じて、前記バックライトの発光の度合を制御する制御部と、を備える、ことを特徴とする。
【００１０】
「前記媒体に応じて」とは、例えば、媒体の種類、坪量、厚さ、地色、サイズ等の媒体の規格に応じてという意味合いの他、両面記録の媒体か否か、穴がある媒体か否か、等の媒体の状態に応じてという意味合いも含まれる（但しこれらは一例である）。  
前記バックライトの発光の度合の変更は、前記バックライトを消灯した状態にすることも含むものとする。  
本態様によれば、画像読取装置は、媒体を搬送する搬送部と、前記媒体に光を照射する光源を備え、搬送される前記媒体を読み取る読取部と、読み取られる前記媒体を挟んで前記読取部と対向する位置に設けられる背景板と、前記背景板の前記読取部と対向する面を発光させるとともに、発光の度合を変更可能なバックライトと、前記読取部において読み取られる前記媒体に応じて、前記バックライトの発光の度合を制御する制御部とを備えるので、様々な種類の媒体を適切に読み取ることができる。  
尚、前記読取部において読み取られる前記媒体に応じた、前記バックライトの発光の度合の制御については後で詳しく説明する。
【００１１】
本発明の第２の態様は、第１の態様において、前記読取部は、前記媒体の第１面に光を照射する第１光源を備え、前記媒体の前記第１面を読み取る第１読取部と、前記媒体の第１面の反対面である第２面に光を照射する第２光源を備え、前記第１読取部よりも媒体搬送方向下流側において、前記媒体の前記第２面を読み取る第２読取部と、を含み、前記第１読取部に対応する前記背景板である第１背景板に設けられる、前記バックライトとしての第１のバックライトは、搬送される前記媒体の面に対する垂直方向において、前記第２読取部と少なくとも一部が重なる位置に設けられ、前記第２読取部に対応する前記背景板である第２背景板に設けられる、前記バックライトとしての第２のバックライトは、搬送される前記媒体の面に対する垂直方向において、前記第１読取部と少なくとも一部が重なる位置に設けられる、ことを特徴とする。
【００１２】
本態様によれば、一度の搬送で媒体の両面を読み取り可能な画像読取装置において、第１のバックライト及び第２のバックライトを省スペースに配置して装置の大型化を回避できる。
【００１３】
本発明の第３の態様は、第１の態様または第２の態様において、前記制御部は、前記媒体が第１の媒体である場合に、前記バックライトを第１の発光状態にして、前記媒体が前記第１の媒体よりも相対的に薄い第２の媒体であり、且つ、前記媒体が片面にのみ記録が行われた片面記録媒体である場合に、前記バックライトを前記第１の発光状態よりも相対的に強い第２の発光状態にして、前記媒体が前記第２の媒体であり、且つ、前記媒体が両面に記録が行われた両面記録媒体である場合に、前記バックライトを前記第１の発光状態にする、ことを特徴とする。
【００１４】
本態様によれば、前記制御部は、前記媒体が第１の媒体である場合に、前記バックライトを第１の発光状態にして、前記媒体が前記第１の媒体よりも相対的に薄い第２の媒体であり、且つ、前記媒体が片面にのみ記録が行われた片面記録媒体である場合に、前記バックライトを前記第１の発光状態よりも相対的に強い第２の発光状態にするので、読み取られる前記媒体が前記第１の媒体よりも薄い第２の媒体である場合に、媒体の地色が暗く読み取られてしまう現象を抑制することができる。  
また、前記制御部は、前記媒体が前記第２の媒体であり、且つ、前記媒体が両面に記録が行われた両面記録媒体である場合に、前記バックライトを前記第１の発光状態、すなわち、前記第２の発光状態よりも相対的に弱い発光状態にするので、前記両面記録媒体の読み取り時における裏写りの発生の虞を抑制することができる。
【００１５】
本発明の第４の態様は、第１の態様から第３の態様のいずれかにおいて、前記バックライトは、媒体搬送方向と交差する幅方向に複数並べて設けられ、発光の度合を個別に変更可能に構成されている、ことを特徴とする。
【００１６】
本態様によれば、前記バックライトは、媒体搬送方向と交差する幅方向に複数並べて設けられ、発光の度合を個別に変更可能に構成されているので、前記幅方向において、前記バックライトの発光の度合を部分的に変更することができる。
【００１７】
本発明の第５の態様は、第１の態様または第２の態様において、前記バックライトは、媒体搬送方向と交差する幅方向に複数並べて設けられ、発光の度合を個別に変更可能に構成されており、前記制御部は、前記媒体が穴を有する穴有り媒体である場合に、複数の前記バックライトのうち、前記幅方向の端部側のバックライトを第１の発光状態にして、前記幅方向の中央領域のバックライトを前記第１の発光状態よりも相対的に強い第２の発光状態にする、ことを特徴とする。
【００１８】
前記媒体にある「穴」としては、例えば、媒体を綴じるためのパンチ穴が挙げられる。  
本態様によれば、前記制御部は、前記媒体が穴を有する穴有り媒体である場合に、複数の前記バックライトのうち、前記幅方向の端部側のバックライトを第１の発光状態にして、前記幅方向の中央領域のバックライトを前記第１の発光状態よりも相対的に強い第２の発光状態にするので、読み取り画像において、前記穴をより確実に視認或いは検出することができる。
【００１９】
本発明の第６の態様は、第１の態様から第５の態様のいずれかにおいて、前記制御部は、前記媒体の搬送位置に応じて前記バックライトの発光の度合を制御可能に構成されている、ことを特徴とする。
【００２０】
本態様によれば、前記制御部は、前記媒体の搬送位置に応じて前記バックライトの発光の度合を制御可能に構成されているので、媒体搬送方向において、前記バックライトの発光の度合を部分的に変更することができる。
【００２１】
本発明の第７の態様は、第１の態様から第５の態様のいずれかにおいて、前記制御部は、本読取モードの前に前記バックライトを所定の光量で点灯させて行うプレビュー読取モードを実行可能であり、前記プレビュー読取モードによる読み取り結果に基づいて、前記本読取モードにおける前記バックライトの発光の度合を制御可能に構成されている、ことを特徴とする。
【００２２】
本発明の第８の態様は、第７の態様において、前記制御部は、前記プレビュー読取モードによる読み取り結果に基づいて、前記バックライトの光量を前記プレビュー読取モードにおける光量よりも抑制する抑制エリアをユーザーに指定させるための指定画面を表示部に表示させ、前記指定画面を介して指定された前記抑制エリアに基づいて、前記本読取モードにおける前記バックライトの発光の度合を設定する、ことを特徴とする。
【００２３】
本態様によれば、前記プレビュー読取モードによる読み取り結果に基づいて、ユーザーが前記抑制エリアを指定することにより、前記制御部が、前記本読取モードにおける前記バックライトの発光の度合を設定することができる。このことにより、前記本読取モードにおける読み取りをより適切に行うことができる。
【００２４】
本発明の第９の態様は、第８の態様において、前記本読取モードにおける前記バックライトの制御の設定を設定パターンとして記憶する記憶部を備え、前記制御部は、前記記憶部から前記設定パターンを読み出し、当該設定パターンに基づいて前記本読取モードを実行可能である、ことを特徴とする。
【００２５】
本態様によれば、先にプレビュー読取モードを行って本読取モードを行った先行媒体と同じ、或いは似ている後続媒体の読み取りを行う場合に、前記先行媒体に対する前記読取設定を設定パターンとして記憶部に記憶し、その設定パターンに基づいて前記後続媒体の本読取モードを実行することができる。後続媒体の読み取りを行う際に、プレビュー読取モードを省略して本読取モードを実行することができるので、読み取りのスループットを向上させることができる。
【００２６】
本発明の第１０の態様は、第２の態様において、前記制御部は、前記媒体の一度の搬送で前記第２面の画像のみを読み取る場合に、前記第１読取部による読み取り結果に基づいて前記媒体にある穴の位置を検出し、前記穴の検出位置に基づいて、前記第２読取部で読み取られた画像に対し、前記穴の読み取り跡を消す穴消し処理を実行可能である、ことを特徴とする。
【００２７】
本態様によれば、前記制御部が、前記媒体の一度の搬送で前記第２面の画像のみを読み取る場合に、媒体搬送方向上流側にある前記第１読取部によって前記媒体にある穴の位置を検出し、前記穴の検出位置に基づいて、下流側にある前記第２読取部で読み取られた画像に対し、前記穴の読み取り跡を消す穴消し処理を実行可能であるので、前記媒体の一度の搬送で前記媒体の読み取りと、読み取り画像に対する穴消し処理と、の双方を行うことができる。
【００２８】
本発明の第１１の態様に係るスキャナードライバーは、媒体に光を照射する光源を備え、搬送される前記媒体を読み取る読取部と、読み取られる前記媒体を挟んで前記読取部と対向する位置に設けられる背景板と、前記背景板の前記読取部と対向する面を発光させるとともに、発光の度合を変更可能なバックライトと、を備える画像読取装置の制御に用いるスキャナードライバーであって、プレビュー指示を受け付け、前記読取部によって所定解像度で前記媒体を読み取った結果をプレビュー画像として表示手段に表示させ、前記プレビュー画像において前記バックライトの光量を前記プレビュー画像取得時における光量よりも抑制する抑制エリアをユーザーに指定させるための指定画面を前記表示手段に表示させ、前記抑制エリアに係る情報を取得する機能を含む、ことを特徴とする。
【００２９】
本態様によれば、前記プレビュー画像において前記バックライトの光量を前記プレビュー画像取得時における光量よりも抑制する抑制エリアをユーザーに指定させるための指定画面を前記表示手段に表示させ、前記抑制エリアに係る情報を取得するので、前記抑制エリアでの前記バックライトの光量を抑えて適切な画像を得ることができる。
【図面の簡単な説明】
【００３０】
【図１】本発明に係るスキャナーの外観斜視図。
【図２】本発明に係るスキャナーの媒体搬送経路の概略図。
【図３】媒体搬送経路の要部拡大図。
【図４】本発明に係るスキャナーの構成を表すブロック図。
【図５】第１のバックライトの概略平面図。
【図６】制御部による制御の一例を示すフローチャート。
【図７】穴有り用紙に対する第１のバックライトの制御の一例を示す図。
【図８】穴有り用紙に対する第１のバックライトの制御の他の例を示す図。
【図９】指定画面の一例を表す概略図。
【図１０】指定画面で抑制エリアを指定した状態を表す図。
【図１１】プレビュー読取モードに基づく本読取モードの設定を行う場合のフローチャート。
【図１２】本発明に係るスキャナーをコンピューターに接続した場合について説明するブロック図。
【図１３】スキャナードライバーの処理の一例を示すフローチャート。
【図１４】スキャナードライバーの処理の他の例を示すフローチャート。
【発明を実施するための形態】
【００３１】
［第１実施形態］
まず、本発明の一実施形態に係る画像読取装置の概略について、図を参照しつつ説明する。本実施形態では画像読取装置の一例として、「媒体」としての用紙の表面及び裏面の少なくとも一面を読み取り可能なドキュメントスキャナー１（以下、単にスキャナー１と称する）を例に挙げる。
【００３２】
各図において示すＸ−Ｙ−Ｚ座標系はＸ方向が装置幅方向であり用紙幅方向、Ｙ方向が用紙搬送方向である。Ｚ方向はＹ方向と交差する方向であって、概ね搬送される用紙の面と直交する方向を示している。また、＋Ｙ方向側を装置前面側とし、−Ｙ方向側を装置背面側とする。また、装置前面側から見て左側を＋Ｘ方向、右側を−Ｘ方向とする。また、＋Ｚ方向を装置上方（上部、上面等を含む）とし、−Ｚ方向側を装置下方（下部、下面等を含む）とする。また、用紙Ｐが給送されていく方向（＋Ｙ方向側）を「下流」といい、これと反対の方向（−Ｙ方向側）を「上流」という。
【００３３】
■■■スキャナーの概要■■■
以下、主として図１及び図２を参照して、本発明に係るスキャナー１について説明する。  
スキャナー１は、図２に示す媒体搬送経路Ｒを搬送される用紙（媒体）に対して光源から光を照射して画像を読み取る読取部１０を備えている。  
図１に示すスキャナー１は、読取部１０に向けて用紙を搬送する搬送部９を備えて構成されている。搬送部９については、スキャナー１の概要について説明した後、媒体搬送経路Ｒについて説明する際に詳述する。
【００３４】
スキャナー１は、図１に示すように、搬送部９や読取部１０を内部に有する筐体２によって外観が構成されている。  
筐体２は、下部ユニット３及び上部ユニット４を備えて構成されている。上部ユニット４は下部ユニット３に対して用紙搬送方向下流側を回動支点として開閉可能に取り付けられており、上部ユニット４を装置前面側に回動して開き、図２示す媒体搬送経路Ｒを露呈させて用紙の紙詰まりの処理を容易に行うことができる様に構成されている。
【００３５】
筐体２の−Ｙ軸方向側である装置背面側には、媒体搬送経路Ｒに送られる用紙Ｐが載置される媒体載置部１１が設けられている。媒体載置部１１は、筐体２の外部に少なくとも一部が露出して設けられている。本実施形態においては、媒体載置部１１は筐体２の装置背面側に突出して設けられている。尚、本実施形態の媒体載置部１１は、スキャナー１の非使用時に装置前面側に回動させ、筐体２のカバーとして用いることができるようになっている。  
媒体載置部１１には複数枚の用紙Ｐを重ねた用紙束を載置することができる。符号１１ａは、用紙Ｐの載置面１１ａである。
【００３６】
また、媒体載置部１１には、媒体搬送方向（＋Ｙ方向）と交差する幅方向（Ｘ軸方向）の側縁をガイドするガイド面１３を備える左右一対のエッジガイド１２が設けられている。  
エッジガイド１２、１２は、用紙Ｐのサイズに応じてＸ軸方向にスライド移動可能に設けられている。本実施形態において、エッジガイド１２、１２は、公知のラックピニオン機構により一方のエッジガイド１２（例えば＋Ｘ側）のＸ移動に追従して、他方のエッジガイド１２（−Ｘ側）が相対する方向に移動するように構成されている。  
媒体載置部１１において、用紙Ｐは幅方向の中央に揃えられ、前記幅方向の中央領域に設けられる後述の給送ローラー１４により、所謂、センター給紙方式で給紙されるように構成されている。
【００３７】
媒体載置部１１は、補助ペーパーサポート８を備えている。補助ペーパーサポート８は、媒体載置部１１の内部に収納可能であり、且つ、図１に示す様に媒体載置部１１から引き出し可能に構成され、載置面１１ａの長さを調整可能になっている。
【００３８】
図１に示すように、上部ユニット４の装置前面側には、各種読み取り設定や読み取り実行の操作や、読み取り設定内容等を表示する「表示部」としての操作パネル７が設けられている。  
上部ユニット４の上部には筐体２内部に連なる給送口６が設けられており、媒体載置部１１に載置される用紙Ｐは、給送口６から図２に示す読取部１０に向けて送られる。
【００３９】
また、下部ユニット３の装置前面側には、読取部１０による読み取り後の用紙Ｐが排出される排紙トレイ５が設けられている。  
排紙トレイ５は、排出口１８から装置前面側に向けて引き出し可能に下部ユニット３に設けられている。排紙トレイ５は、図２のように、下部ユニット３の底部に収納された状態と、図１のように、装置前面側に引き出した状態とを取り得る。排紙トレイ５を引き出した状態において、排出口１８から排出された用紙Ｐを排紙トレイ５上に積載することができる。
【００４０】
■■■スキャナーにおける媒体搬送経路について■■■
以下、主として図２を参照して、スキャナー１における媒体搬送経路Ｒについて説明する。尚、図２において符号Ｐで示す一点鎖線は、媒体搬送経路Ｒに沿って搬送される用紙Ｐを示している。媒体搬送経路Ｒは、下部ユニット３の下側経路面Ｒ１と、上部ユニット４の上側経路面Ｒ２と、によって挟まれた空間である。
【００４１】
筐体２の内部には、用紙を搬送する搬送部９が設けられている。搬送部９は、媒体搬送経路Ｒに設けられている。本実施形態において、搬送部９は、給送ローラー１４、分離ローラー１５、第１搬送ローラー対１６、及び第２搬送ローラー対１７を含んで構成されている。搬送部９の動作は、後述する制御部１９によって制御されている。制御部１９は、スキャナー１における画像読み取りに係る動作を制御する。
【００４２】
第１搬送ローラー対１６は、第１駆動ローラー１６ａと第１従動ローラー１６ｂとを備えている。第２搬送ローラー対１７は、第２駆動ローラー１７ａと第２従動ローラー１７ｂとを備えている。  
給送ローラー１４、第１駆動ローラー１６ａ、及び第２駆動ローラー１７ａは、下部ユニット３に対して回転可能に設けられている。また、給送ローラー１４と対向する位置に設けられる分離ローラー１５、第１従動ローラー１６ｂ、及び第２従動ローラー１７ｂは、上部ユニット４に対して回転可能に設けられている。
【００４３】
媒体載置部１１に載置された用紙Ｐは、給送ローラー１４によって読取部１０に向けて送られる。  
給送ローラー１４と対向する位置には、給送ローラー１４との間で用紙Ｐをニップして用紙Ｐを分離する分離ローラー１５が設けられている。分離ローラー１５は、後述する第２駆動源２７によって、用紙の給送方向の逆方向（図２において反時計回り方向）に回転駆動可能に構成されている。  
前述したように、給送ローラー１４はセンター給紙方式で給紙する構成であり、給送ローラー１４及び分離ローラー１５は、媒体搬送方向（＋Ｙ方向）と交差する媒体幅方向（Ｘ軸方向）において中央領域に設けられている。
【００４４】
また、給送ローラー１４の下流側には、給送ローラー１４によって給送された用紙Ｐを搬送する第１搬送ローラー対１６と、第２搬送ローラー対１７と、が設けられている。  
第１搬送ローラー対１６と第２搬送ローラー対１７との間に、読取部１０が設けられている。
【００４５】
媒体載置部１１に載置された用紙Ｐは、給送ローラー１４によりピックアップされて下流側（＋Ｙ方向側）に給送される。具体的には、用紙Ｐの媒体載置部１１に対向する面に、給送ローラー１４が接触しつつ回転することにより、用紙Ｐを下流側に向けて給送する。したがって、スキャナー１において複数枚の用紙Ｐを媒体載置部１１にセットした場合には、載置面１１ａ側の用紙Ｐから順に下流側に向けて給送される。
【００４６】
第１搬送ローラー対１６は、読取部１０の上流側に設けられ、給送ローラー１４によって給送された用紙Ｐを読取部１０に向けて搬送する。第１搬送ローラー対１６も、給送ローラー１４と同様に、前記媒体幅方向において中央領域に設けられている。
【００４７】
読取部１０は、上部ユニット４側に設けられる上側読取ユニット３０と、下部ユニット３側に設けられる下側読取ユニット４０とを備えている。  
図３に示すように、上側読取ユニット３０には第１読取部３２が設けられ、下側読取ユニット４０には第２読取部４２が設けられている。  
第１読取部３２は、用紙Ｐの第１面Ａ（上側を向く面）を読み取り、第２読取部４２は、第１面Ａの反対面である第２面Ｂ（下側を向く面）を読み取る。  
媒体搬送経路Ｒについて説明した後、読取部１０の詳細な構成について説明する。
【００４８】
用紙Ｐは、読取部１０において用紙Ｐの第１面Ａ及び第２面Ｂの少なくとも一方の面の画像を読み取られた後、読取部１０の下流側に位置する第２搬送ローラー対１７にニップされて、下部ユニット３の装置前面側に設けられた排出口１８から排出される。
【００４９】
尚、図４に示すように、本実施形態において給送ローラー１４は、第１駆動源２６によって回転駆動されるように構成されている。また、分離ローラー１５、第１駆動ローラー１６ａ、及び第２駆動ローラー１７ａは、第２駆動源２７によって回転駆動されるように構成されている。第１駆動源２６及び第２駆動源２７は、図２に示す下部ユニット３内に設けられている。  
第１駆動源２６及び第２駆動源２７は制御部１９により制御され、以って、搬送部９としての給送ローラー１４、分離ローラー１５、第１駆動ローラー１６ａ、及び第２駆動ローラー１７ａの駆動が制御される。
【００５０】
図２に示す媒体搬送経路Ｒには、用紙Ｐを検出する媒体検出部が複数設けられている。  
例えば、給送ローラー１４の上流側であって媒体載置部１１による用紙の載置領域内には、媒体載置部１１に載置される用紙Ｐの有無を検出する第１検出部２２が設けられている。また、給送ローラー１４の下流側と、第１搬送ローラー対１６の下流側と、第２搬送ローラー対１７の下流側には、順に、第２検出部２３、第３検出部２４、及び第４検出部２５が設けられている。第２検出部２３と第３検出部２４によって、媒体給送方向における用紙Ｐの位置を検出することができる。  
また、第１搬送ローラー対１６の上流側には、複数枚の用紙Ｐが重なって搬送される重送を検出する重送検出部２８が設けられている。
【００５１】
第１検出部２２、第２検出部２３、第３検出部２４、及び第４検出部２５としては、光を発する発光部（図示省略）と、前記発光部から発せられた光の反射光を受光する受光部（図示省略）を備える光センサーを用いることができる。また、前記光センサーの他、超音波を発する発信部と、搬送される用紙を挟んで前記発信部と対向して設けられる受信部とを備える超音波式センサーを用いることも可能である。また、搬送される用紙の接触によって動かされる機械式レバーの変位を、光学式或いは電気接触式で検出するレバー式センサーを用いることもできる。重送検出部２８としては、前述した超音波式センサーを用いることができる。
【００５２】
■■■読取部について■■■
以下、図３を参照して、読取部１０の詳細な構成について説明する。  
読取部１０は、前述した様に、媒体搬送経路Ｒの上側に配置される上側読取ユニット３０と、媒体搬送経路Ｒの下側に配置される下側読取ユニット４０と、を備えている。  
上側読取ユニット３０には、第１読取部３２が設けられている。第１読取部３２は、場用紙Ｐの第１面Ａに光を照射する第１光源３３を備えている。第１光源３３は、媒体搬送方向上流側から光を照射する光源と、媒体搬送方向下流側から光を照射する光源と、の二つの光源を備えている。
【００５３】
下側読取ユニット４０には、第２読取部４２が設けられている。第２読取部４２は、場用紙Ｐの第２面Ｂに光を照射する第２光源４３を備えている。第２光源４３は、媒体搬送方向上流側から光を照射する光源と、媒体搬送方向下流側から光を照射する光源と、の二つの光源を備えている。  
第２読取部４２は、第１読取部３２の媒体搬送方向の下流側（＋Ｙ方向側）に設けられている。つまり、第２読取部４２は、第１読取部３２よりも下流側で用紙Ｐの画像を読み取るようになっている。用紙Ｐの第１面Ａと第２面Ｂの双方を読み取る両面読み取りを行う場合、上流側から搬送された用紙Ｐは、先に第１読取部３２によって第１面Ａが読み取られた後、第２読取部４２によって第２面Ｂが読み取られるようになっている。
【００５４】
尚、第１読取部３２と第２読取部４２の上下の配置は、逆であってもよい。つまり、下流側で画像を読み取る第２読取部４２を上部ユニット４に設け、上流側で画像を読み取る第１読取部３２を下部ユニット３に設ける構成とすることができる。  
また、本実施形態に係るスキャナー１は、第１読取部３２と第２読取部４２を備え、一度の搬送で用紙Ｐの両面を読み取ることができる読取部１０を備えるが、読取部１０は、例えば、一方の読取部（例えば、下方に設けられる第２読取部４２）のみを備え、一度の搬送で用紙Ｐの片面を読み取る構成とすることも可能である。
【００５５】
上側読取ユニット３０は第１透過板３１を備え、第１透過板３１が媒体搬送経路Ｒの上側経路面Ｒ２を形成している。下側読取ユニット４０は第２透過板４１を備え、第２透過板４１が媒体搬送経路Ｒの下側経路面Ｒ１を形成している。第１透過板３１及び第２透過板４１は、媒体搬送方向において、第１読取部３２と第２読取部４２の双方と重なる位置に設けられている。  
第１透過板３１及び第２透過板４１は、無色透明のガラスや、無色透明のアクリル板等の樹脂板により形成することができる。
【００５６】
本実施形態において、第１読取部３２及び第２読取部４２は一例として密着型イメージセンサーモジュール（ＣＩＳＭ）として構成されている。  
第１読取部３２は、第１レンズ部３５と、第１センサー部３６とを備えている。第１光源３３から照射された反射光を、第１レンズ部３５を介して第１センサー部３６が受光することにより第１面Ａの画像を読み取る。  
第２読取部４２は、第２レンズ部４５と、第２センサー部４６とを備えている。第２光源４３から照射された反射光を、第２レンズ部４５を介して第２センサー部４６が受光することにより第２面Ｂの画像を読み取る。
【００５７】
また、第１透過板３１の媒体搬送経路Ｒを形成する面（上側経路面Ｒ２）の反対面には、第２背景板４７と遮光板３８が設けられている。  
第２背景板４７は、読み取られる用紙Ｐを挟んで第２読取部４２と対向する位置、より具体的には第２レンズ部４５と対向する位置に設けられ、遮光板３８は、媒体搬送方向において、第１光源３３の光が通る領域と第２背景板４７を避けた領域に設けられている。
【００５８】
第２透過板４１の媒体搬送経路Ｒを形成する面（下側経路面Ｒ１）の反対面には、第１背景板３７と遮光板４８が設けられている。  
第１背景板３７は、読み取られる用紙Ｐを挟んで第１読取部３２と対向する位置、より具体的には第１レンズ部３５と対向する位置に設けられ、遮光板４８は、媒体搬送方向において、第２光源４３の光が通る領域と第１背景板３７を避けた領域に設けられている。  
第１背景板３７及び第２背景板４７は、第１読取部３２及び第２読取部４２において、キャリブレーションを行う際の基準となる。
【００５９】
第１背景板３７は、第１背景板３７の第１読取部３２と対向する面３７ａ（図３において＋Ｚ側の面）を発光させるとともに、発光の度合を変更可能な第１のバックライト５０を備えている。第２背景板４７は、第２背景板４７の第２読取部４２と対向する面４７ａ（図３において−Ｚ側の面）を発光させるとともに、発光の度合を変更可能な第２のバックライト６０を備えている。  
第１のバックライト５０及び第２のバックライト６０としては、例えば、白色ＬＥＤライトを用いることができる。
【００６０】
第１背景板３７及び第２背景板４７は、一例として、光を透過するが透明性の低い灰色系の樹脂やすりガラス等で形成されており、第１のバックライト５０及び第２のバックライト６０を消灯している場合には、そのままの色である灰色の背景板となり、第１のバックライト５０及び第２のバックライト６０を点灯した場合に、第１背景板３７の面３７ａ、及び第２背景板４７の面４７ａは発光により、灰色よりも明度の高い色（例えば白）の背景板となる。
【００６１】
第１背景板３７は、第１背景板３７の第１読取部３２と対向する面３７ａ（図３において＋Ｚ側の面）を発光させるとともに、発光の度合を変更可能な第１のバックライト５０を備えている。第１のバックライト５０は、搬送される用紙の面に対する垂直方向（Ｚ軸方向）において、第２読取部４２と少なくとも一部が重なる位置に設けられている。  
第２背景板４７は、第２背景板４７の第２読取部４２と対向する面４７ａ（図３において−Ｚ側の面）を発光させるとともに、発光の度合を変更可能な第２のバックライト６０を備えている。第２のバックライト６０は、搬送される用紙の面に対する垂直方向（Ｚ軸方向）において、第１読取部３２と少なくとも一部が重なる位置に設けられている。  
Ｚ軸方向において、第１のバックライト５０が第２読取部４２と重なり、第２のバックライト６０が第１読取部３２と重なっていることにより、第１のバックライト５０及び第２のバックライト６０を省スペースに配置することができる。このことにより、読取部１０の大型化が回避され、以って、スキャナー１の大型化を回避できる。
【００６２】
第１のバックライト５０と第２のバックライト６０の発光の度合は、図４に示すように、制御部１９によって制御されるようになっている。  
そして、制御部１９は、読取部１０（第１読取部３２と第２読取部４２）において読み取られる用紙Ｐに応じて、バックライト（第１のバックライト５０と第２のバックライト６０）の発光の度合を制御する。この点が、本発明の特徴となる構成である。  
尚、以下において、第１のバックライト５０及び第２のバックライト６０を総称して、単にバックライトと言う場合がある。また、第１背景板３７及び第２背景板４７を総称して、単に背景板と言う場合がある。  
制御部１９による、読み取られる用紙Ｐに応じたバックライトの発光の度合の制御については、後で詳しく説明する。
【００６３】
本実施形態において、第１のバックライト５０は、図５に示すように、媒体搬送方向と交差する幅方向（Ｘ軸方向）に複数並べて設けられ、発光の度合を個別に変更可能に構成されている。第２のバックライト６０については図示を省略するが、同様の構成を有している。  
この構成によって、前記幅方向において、第１のバックライト５０及び第２のバックライト６０の発光の度合を部分的に変更することができる。
【００６４】
■■■制御部によるバックライトの制御について■■■
制御部１９は、前述した様に、読取部１０において読み取られる用紙に応じて、バックライトとしての第１のバックライト５０及び第２のバックライト６０の発光の度合を制御する。このことによって、スキャナー１は、様々な種類の用紙Ｐを適切に読み取ることができる。
【００６５】
◆第１の制御について  
以下、制御部１９によるバックライトの制御の一つ目の例としての第１の制御について説明する。  
制御部１９は、読み取られる用紙が第１の用紙Ｐ１（第１の媒体）であるか、第１の用紙Ｐ１よりも相対的に薄い第２の用紙Ｐ２（第２の媒体）であるかに応じて、バックライトの発光の度合を制御する。また、用紙が第２の用紙Ｐ２である場合、制御部１９は、用紙が片面にのみ記録が行われた片面記録用紙（片面記録媒体）であるか、両面に記録が行われた両面記録用紙（両面記録媒体）であるかに応じてバックライトの発光の度合を制御する。  
より具体的には、制御部１９は、用紙が第１の用紙Ｐ１である場合に、バックライトを第１の発光状態にして、用紙が第１の用紙Ｐ１よりも相対的に薄い第２の用紙Ｐ２であり、且つ、用紙が片面にのみ記録が行われた片面記録用紙である場合に、バックライトを第１の発光状態よりも相対的に強い第２の発光状態にして、用紙が第２の用紙Ｐ２であり、且つ、用紙が両面に記録が行われた両面記録用紙である場合に、バックライトを第１の発光状態にする。本実施形態において、第１の用紙Ｐ１としては、一例として普通紙を挙げる。また第２の用紙Ｐ２としては、一例として薄葉紙を挙げる。
【００６６】
図６のフローチャートに基づいて更に説明する。尚、用紙の片面、すなわち、第１面Ａか第２面Ｂのいずれか一方を読み取る片面読み取りの場合は、第１のバックライト５０及び第２のバックライト６０のうち、少なくとも読み取る側のバックライトを制御する。読み取りを行わない側のバックライトは、読み取る側のバックライトと同じ状態することができる。また、読み取る側のバックライトの状態によらず、点灯または消灯しておくこともできる。  
用紙の両面、すなわち、第１面Ａと第２面Ｂの双方を読み取る両面読み取りの場合は、第１のバックライト５０及び第２のバックライト６０の双方を制御する。  
第１の制御においては、複数の第１のバックライト５０は、それぞれ同じ発光の度合に制御される。また、複数の第２のバックライト６０は、それぞれ同じ発光の度合に制御される。
【００６７】
図６に示すように、用紙の読み取りを開始すると、制御部１９は、用紙が第１の用紙Ｐ１と第２の用紙Ｐ２のうち、第１の用紙Ｐ１であるか否かを判断するステップＳ１を行う。  
ステップＳ１においてＹＥＳ、すなわち、第１の用紙Ｐ１（普通紙）と判断された場合、ステップＳ２に進み、バックライトを第１の発光状態とする。本実施形態においては、バックライトをオフ、すなわち、消灯する。  
続いて、ステップＳ３において、読取部１０による用紙の画像読み取りを行った後、読取動作を終了する。
【００６８】
一方、ステップＳ１においてＮＯ、すなわち、第２の用紙Ｐ２（薄葉紙）と判断された場合、ステップＳ４に進み、用紙が片面記録媒体と両面記録用紙のうち、片面記録媒体であるか否かを判断する。ステップＳ４においてＹＥＳ、すなわち、用紙が片面記録媒体であると判断された場合、ステップＳ５に進み、バックライトを第１の発光状態よりも相対的に強い第２の発光状態にする。つまり、バックライトを明るくする。本実施形態においては、バックライトをＯＮ、すなわち、点灯する。  
ステップＳ５においてバックライトをＯＮにしたら、ステップＳ３に進み、読取部１０による用紙の画像読み取りを行った後、読取動作を終了する。
【００６９】
ステップＳ４においてＮＯ、すなわち、用紙が両面記録用紙であると判断された場合には、ステップＳ２に進み、前述した様にバックライトを第１の発光状態（バックライトオフ）とした後、ステップＳ３に進み、読取部１０による用紙の画像読み取りを行って読取動作を終了する。
【００７０】
ここで、薄い用紙（第２の用紙Ｐ２）を読み取る場合、読取部に対向する背景板の色が写って読み取り画像の地色が暗くなる場合がある。ある程度の厚みがある用紙（第１の用紙Ｐ１）の場合は、読み取り画像の地色が暗くなる問題は発生し難い。  
したがって、制御部１９は、用紙が第２の用紙Ｐ２に比して厚みのある第１の用紙Ｐ１（普通紙）である場合に、バックライトを第１の発光状態（バックライトオフ）する。  
バックライトの発光の度合をオフにすると、背景板は元の色（本実施形態においては灰色系）になるが、比較的厚い第１の用紙Ｐ１の読み取り画像の地色が暗くなる虞は少ない。
【００７１】
一方、用紙が第１の用紙Ｐ１よりも相対的に薄い第２の用紙Ｐ２である場合は更に場合分けする。  
薄い用紙（第２の用紙Ｐ２）の読み取り画像の地色が暗くなる問題は、背景板を明るくすれば生じ難くなるが、薄い用紙に両面記録が行われている場合、背景板が明るいと、読取面の反対面の画像が読み取り画像が写る、所謂、裏写りが生じる場合がある。  
したがって、用紙が第１の用紙Ｐ１よりも相対的に薄い第２の用紙Ｐ２であり、且つ、用紙が片面にのみ記録が行われた片面記録用紙である場合、すなわち、裏写りの虞がない場合には、バックライトを第１の発光状態よりも相対的に強い第２の発光状態にする。このことによって、読み取られる用紙が薄い第２の用紙Ｐ２である場合に、用紙の地色が暗く読み取られてしまう現象を抑制することができる。
【００７２】
また、制御部１９は、用紙が第２の用紙Ｐ２であり、且つ、用紙が両面に記録が行われた両面記録用紙である場合に、バックライトを第１の発光状態（バックライトオフ）、すなわち、第２の発光状態よりも相対的に弱い発光状態にするので、両面記録用紙の読み取り時における裏写りの発生の虞を抑制することができる。
【００７３】
尚、バックライトとしては、明るさを調整できる調光式ライトを用いることもできる。調光式ライトを用いた場合には、ステップＳ２において、バックライトの発光を、そのバックライトにおける最大の明るさよりも抑制した第１の発光状態としてもよい。また、ステップＳ５におけるバックライトの第２の発光状態は、第１の発光状態よりも明るければよく、最大の明るさにまで発光させる必要はない。  
読み取られる用紙が第２の用紙Ｐ２であり、且つ、両面記録用紙である場合の第１の発光状態を、バックライトをオフにした状態にすると、裏写りは抑制できるが、読み取り画像の地色が暗くなる場合がある。このようなときには、両面記録用紙である第２の用紙Ｐ２の読み取り時における第１の発光状態を、バックライトのオフ状態よりは発光の度合が強い（明るい）が、第２の発光状態よりは発光の度合が弱い（暗い）状態とすることにより、裏写りの問題と、読み取り画像の地色が暗くなる問題と、の双方に考慮された読み取りを行うことができる。
【００７４】
尚、ステップＳ１における用紙が第１の用紙Ｐ１であるか否かの判断は、例えば、図２に示す重送検出部２８によって検出される用紙の厚みに関する情報に基づいて行うことができる。一例として、重送検出部２８によって検出された用紙の厚みが、所定の閾値を超える場合に第１の用紙Ｐ１と判断し、所定の閾値以下である場合に第２の用紙Ｐ２である、すなわち、第１の用紙Ｐ１ではないと判断する。  
また、重送検出部２８とは別に、光透過率によって用紙Ｐの厚みを検出する透過型センサーを設けることもできる。  
また、操作パネル７に用紙設定画面を表示させ、用紙設定画面からユーザーによって予め入力された用紙Ｐの情報に基づいて、第１の用紙Ｐ１であるか否かを判断するようにすることもできる。
【００７５】
また、ステップＳ４における片面記録用紙か否かの判断も、用紙設定画面からユーザーによって予め入力された用紙Ｐの情報に基づいて行うことができる。  
後述するプレビュー読取モードを実行する場合には、プレビュー読取モードの読み取り結果に基づいて制御部１９が判断する構成とすることも可能である。
【００７６】
◆第２の制御について
以下、図７を参照して、制御部１９によるバックライトの制御の二つ目の例としての第２の制御について説明する。尚、第１読取部３２の第１のバックライト５０を例に挙げて説明するが、第２読取部４２の第２のバックライト６０についても同様の制御を行うことができる。
【００７７】
制御部１９は、例えば、読み取られる用紙が、図７に示すようにファイリング用の穴Ｈを有する穴有り用紙Ｇ（穴有り媒体）である場合に、複数設けられた第１のバックライト５０のうち、幅方向（Ｘ軸方向）の端部側のバックライト５０ａを第１の発光状態（一例としてバックライトオフの状態）にして、幅方向の中央領域のバックライト５０ｂを第１の発光状態よりも相対的に強い第２の発光状態（一例としてバックライトオンの状態）にする。
【００７８】
通常、読み取られる用紙は白地である場合が多い。図７において不図示の第１読取部３２による読取領域を穴Ｈが通過する場合には、第１背景板３７が読み取られるため、穴Ｈの部分は用紙とほぼ同じ白地に読み取られるが、穴Ｈの跡が薄く読み取り画像に残る場合がある。このような穴Ｈの跡を消す穴消し処理を施して、見た目のよい画像を得たいというユーザーの要望がある。  
読み取り画像における穴Ｈの跡の位置を自動或いは手動で指定し、穴消し処理を行う場合、読み取り画像に穴Ｈが確実に表れていることが望ましい。
【００７９】
また、ルーズリーフの穴やファイリング用のパンチ穴は、用紙の幅方向の一端側に設けられる場合が多い。  
そこで、読み取られる用紙が穴有り用紙Ｇである場合には、穴Ｈが設けられている幅方向の端部側のバックライト５０ａを第１の発光状態（バックライトオフの状態）にして、幅方向の中央領域のバックライト５０ｂは、第１の発光状態よりも相対的に強い第２の発光状態（バックライトオンの状態）にする。  
このことによって、穴有り用紙Ｇが搬送された際に穴Ｈが通る領域の第１背景板３７が暗くなり、白地（または薄い地色）の穴有り用紙Ｇとのコントラストが高まるので、第１読取部３２による読み取り画像には穴Ｈの跡がはっきりと表されることになる。このことによって、読み取り画像における穴Ｈの跡の位置を、より確実に視認或いは検出できるので、穴消し処理を施す位置を容易に指定することができる。
【００８０】
図７においては、第１のバックライト５０のうち、幅方向の両端部のバックライト５０ａを第１の発光状態にしているが、穴Ｈが配置されている一方側（図７における＋Ｘ方向側）のみを第１の発光状態としてもよい。
【００８１】
また、制御部１９は、用紙の搬送位置に応じてバックライトの発光の度合を制御可能に構成されていることが好ましい。本実施形態に係るスキャナー１において、用紙の搬送位置は、図２に示す第１検出部２２、第２検出部２３、第３検出部２４、及び第４検出部２５によって検出することができる。  
用紙の搬送位置に応じた制御により、媒体搬送方向（Ｙ軸方向）において、バックライトの発光の度合を部分的に変更することができるので、例えば、図７の穴有り用紙Ｇが＋Ｙ方向に搬送されて、穴Ｈの少なくとも一部が、複数の第１のバックライト５０のうちの少なくとも一つと重なる状態になった場合に、その重なった第１のバックライト５０（図７においては＋Ｘ方向側から数えて３つ目）のみを第１の発光状態とし、穴Ｈが通過して第１のバックライト５０と重ならなくなったら、第１の発光状態から第２の発光状態に戻すことができる。
【００８２】
穴有り用紙Ｇを読み取っている間、幅方向の端部側のバックライト５０ａを第１の発光状態にしていると、穴有り用紙Ｇが薄い用紙であった場合に、読み取り画像の幅方向の端部の地色が媒体搬送方向に亘って暗くなる虞がある。  
制御部１９が、用紙の搬送位置に応じてバックライトの発光の度合を制御可能であることにより、第１のバックライト５０上を穴Ｈが通過するタイミングにおいてのみ、該当の第１のバックライト５０を第１の発光状態とすることができ、読み取り画像の幅方向の端部の地色が媒体搬送方向に亘って暗く問題を回避できる。
【００８３】
更に、穴有り用紙Ｇは、穴Ｈが、図７のように穴有り用紙Ｇに対して幅方向の端部側に位置するようにセットされる場合の他、図８のように、媒体搬送方向における後端或いは先端に位置するようにセットされる場合がある。  
このような場合には、図８における複数の第１のバックライト５０のうち、幅方向において穴Ｈと重なる符号５０ｃで示すバックライトを、穴Ｈが通過するタイミングで第１の発光状態とすることにより、読み取り画像における穴Ｈの跡の位置をより確実に視認或いは検出できるようにすることができる。
【００８４】
尚、第２の制御は、例えば、操作パネル７に表示させた用紙設定画面から、読み取られる用紙が穴有り用紙Ｇであると設定された場合に行うことができる。用紙設定画面では、穴Ｈが配置されている方向を設定できるようにするとよい。  
また、次に説明するプレビュー読取モードを実行し、用紙が穴有り用紙Ｇであることが検出されたら、第２の制御を行うようにしてもよい。  
更に、用紙における穴Ｈの有無を自動で検出し、第２の制御を行うようにすることもできる。用紙における穴Ｈの自動検出については、プレビュー読取モードについて説明した後で詳述する。
【００８５】
＜＜＜プレビュー読取モードについて＞＞＞
スキャナー１において、制御部１９は、本読取モードの前に行うプレビュー読取モードを実行可能である。  
本実施形態において、プレビュー読取モードは、バックライト（第１のバックライト５０及び第２のバックライト６０）を所定の光量で点灯させて読み取りを行うモードである。  
プレビュー読取モードを行う際の所定の光量は、本読取モードにおけるバックライトの発光の度合を設定するための基準となる光量である。本実施形態において説明してきたように、バックライトのオン・オフの切り替えによりバックライトの発光の度合を変えている場合には、単純にバックライトを点灯させた状態でプレビュー読取モードを行うことができる。  
バックライトが調光可能である場合には、例えば、所定の光量を最大光量（最も明るくした状態）にしてプレビュー読取モードを行う場合の他、所定の光量を最大光量以外に変更したプレビュー読取モードを実行可能に構成することもできる。
【００８６】
＜＜＜プレビュー読取モードに基づくバックライトの制御について＞＞＞
図１１を参照して、制御部１９が行う、プレビュー読取モードによる読み取り結果に基づく、本読取モードにおけるバックライトの発光の度合の制御について説明する。  
制御部１９は、ステップＳ１１において、プレビュー読取モードを実行する。  
続いて、ステップＳ１２において、ステップＳ１１で実行したプレビュー読取モードによる読み取り結果に基づいて、バックライトの光量をプレビュー読取モードにおける光量よりも抑制する抑制エリア５２（図１０）をユーザーに指定させるための指定画面５１を、図９に示すように操作パネル７に表示させる。  
図９は、一例として、第１読取部３２によって読み取られた第１面Ａのプレビュー読取画像に対する指定画面５１を表している。
【００８７】
指定画面５１は、例えば、プレビュー画像の上に、分割された区画を表示させ、抑制エリア５２に指定したい区画をユーザーが選択できるようになっている。指定画面５１は、幅方向において、一つの区画が図５に示す第１のバックライト５０に対応するように分割されている。  
操作パネル７は、タッチパネルとすることにより、ユーザーが画面を直接タッチして容易に抑制エリア５２を指定できる。  
図９のプレビュー画像には、パンチ穴Ｈと裏写りした文字が表されているので、これらの部分を、図１０のように抑制エリア５２として指定する。抑制エリア５２として指定された区画を、図１０においては太枠でマークしている。  
抑制エリア５２は、例えば、指定画面５１上に範囲指定枠を表示させ、抑制エリア５２として指定したい部分に範囲指定枠を重ねることにより、指定する構成とこともできる。
【００８８】
図１１に戻り、ステップＳ１３において、制御部１９は、指定画面５１でユーザーが指定した抑制エリア５２を取得する。  
ステップＳ１４において、制御部１９は、ステップＳ１３において取得した抑制エリア５２に基づいて、本読取モードにおけるバックライトの発光の度合を設定した後、ステップＳ１５に進み、本読取モードを実行する。
【００８９】
以上のように、プレビュー画像を確認したユーザーが指定した抑制エリア５２に基づいて、本読取モードにおけるバックライトの発光の度合を設定し、本読取モードにおける読み取りをより適切に行うことができる。
【００９０】
また、プレビュー読取モードの結果に基づく本読取モード用のバックライトの制御の設定は、スキャナー１に設けられる記憶部２９（図４）に記憶させて保存することができる。記憶部２９は、本読取モードにおけるバックライトの制御の設定を設定パターンとして記憶する。  
そして、制御部１９は、記憶部２９から設定パターンを読み出し、読み出した設定パターンに基づいて本読取モードを実行可能である。
【００９１】
例えば、ファイリング用のパンチ穴がある同じ規格の用紙を何枚も読み取るような場合には、１枚目の用紙に対してプレビュー読取モードを行い、これに基づいて本読取モードのバックライトの制御の設定を決めるとともに、設定パターンを記憶部２９に記憶する。そして、これ以降、同じ規格の用紙を読み取る場合には、設定パターンを読み出し、これに基づいて本読取モードを実行する。  
このことによって、プレビュー読取モードを省略して本読取モードを実行することができるので、読み取りのスループットを向上させることができる。  
設定パターンは複数記憶可能であり、ユーザーが、必要に応じて操作パネル７から過去に読み取った用紙の設定パターンを呼び出すこともできる。
【００９２】
＜＜＜穴の自動検出について＞＞＞
用紙にある穴Ｈは、読取部１０（第１読取部３２及び第２読取部４２）による読み取り画像に基づいて検出することができる。  
例えば、前述のように、プレビュー読取モードの読み取り結果に基づくバックライトの設定で本読取モードを行う場合、抑制エリア５２を指定は、ユーザーが指定することができる他、プレビュー画像に基づいて、制御部１９が穴Ｈの位置を検出して抑制エリア５２を決定し、プレビュー読取モードの実行から本読取モードの実行までをすべて自動で行う構成とすることもできる。
【００９３】
更に、制御部１９は、用紙Ｐの一度の搬送で第２面Ｂの画像のみを読み取る場合に、上流側にある第１読取部３２による読み取り結果に基づいて用紙Ｐにある穴Ｈの位置を検出し、穴Ｈの検出位置に基づいて、第１読取部３２の下流側に位置する第２読取部４２で読み取られた画像に対し、穴Ｈの読み取り跡を消す穴消し処理を実行可能である。  
このことによって、用紙Ｐの一度の搬送で、用紙Ｐの画像読み取りと、読み取り画像に対する穴消し処理と、の双方を行うことができる。
【００９４】
また、別途、穴検出センサーを読取部１０よりも上流側に設けることもできる。穴検出センサーとしては、例えば、第１検出部２２や第２検出部２３などと同じ、光センサーによって用紙の有無を検出する検出部を用いることができる。  
検出する穴として、ファイリング用の穴Ｈを対象とする場合は、例えば、図２に示すエッジガイド１２の下流側の端部側に設けると良い。エッジガイド１２は、用紙Ｐの側縁に合わせて移動されるので、用紙Ｐの幅方向の一端にある穴Ｈを検出し易い構成とすることができる。
【００９５】
以上のように、スキャナー１において、制御部１９が、読取部１０において読み取られる用紙Ｐに応じて、バックライト（第１のバックライト５０及び第２のバックライト６０）の発光の度合を制御するので、様々な種類の用紙Ｐを適切に読み取ることができる。
【００９６】
本実施形態で説明した制御部１９による用紙Ｐに応じたバックライトの発光の度合の制御は一例であり、用紙の規格としての厚さや、用紙の状態としての穴の有無や、用紙Ｐが片面記録用紙であるか否かに応じてだけでなく、他の用紙の状態や他の用紙の規格（例えば、種類、坪量、地色、サイズ等）に応じて、バックライトの発光の度合を制御することもできる。
【００９７】
第１背景板３７及び第２背景板４７は、バックライトを備える液晶パネルで形成することも可能である。第１背景板３７及び第２背景板４７に、カラー液晶パネルを用いることにより、バックライトの発光の度合を変えて液晶の輝度を変えることができるだけでなく、例えば、読み取られる用紙Ｐの地色に応じて、背景板の色を変えることができる。  
勿論、モノクロ液晶パネルを背景板として用いることも可能である。
【００９８】
［第２実施形態］
スキャナー１は、図１２に示すように、コンピューター１００に接続して用いることも可能である。コンピューター１００には、ディスプレイ１０１が接続されている。ディスプレイ１０１は、コンピューター１００を介してスキャナー１と接続された表示手段である。  
また、コンピューター１００には、スキャナードライバー１０２がインストールされている。スキャナードライバー１０２は、一例としてスキャナー１を接続したコンピューター１００において動作し、スキャナー１の各種設定や制御に用いられる。尚、本実施形態のスキャナードライバー１０２は、既に説明した実施形態のように、スキャナー１自体に内蔵されてスキャナー１の制御に用いられる場合もある。
【００９９】
第１実施形態において説明した、プレビュー読取モードの読み取り結果に基づく、本読取モードにおけるバックライトの制御の設定は、スキャナードライバー１０２によって行うこともできる。これのときのスキャナードライバー１０２の処理について、図１３を参照して説明する。  
スキャナードライバー１０２は、ステップＳ２１において、スキャナー１にプレビュー読取モードの実行を指示する。スキャナー１が、プレビュー読取モードを実行したら、ステップＳ２２において、スキャナー１にプレビュー読取モードのプレビュー読取モードを実行させて得たプレビュー画像情報に基づいて、一例として、図９に示す指定画面５１を、ディスプレイ１０１に表示させる。
【０１００】
ステップＳ２３において、指定画面５１でユーザーが指定した抑制エリア５２（図１０）を取得する。  
続いて、ステップＳ２３において取得した抑制エリア５２の情報を、スキャナー１に送信する。スキャナー１が受診した抑制エリア５２の情報を用い、スキャナー１の制御部１９が本読取モードにおけるバックライトの発光の度合を設定し、本読取モードを実行する。
【０１０１】
また、スキャナードライバー１０２の処理は、図１４に示すフローチャートのように行っても良い。  
図１４において、プレビュー読取モードの実行を指示するステップＳ３１、指定画面５１をディスプレイ１０１に表示させるステップＳ３２、抑制エリア５２を取得するステップＳ３３までは、図１３におけるステップＳ２１からステップＳ２３までの説明と同様であるので、その説明は省略する。  
ステップＳ３３に続くステップＳ３４は、ステップＳ３３において指定された抑制エリア５２の情報に基づいて、スキャナー１で実行する本読取モードにおけるバックライトの発光の度合を設定するステップである。  
そして、ステップＳ３４において設定されたバックライトの設定に基づく本読取モードの実行指示を、スキャナー１に送信する（ステップＳ３５）。
【０１０２】
以上、説明したスキャナー１の制御に用いるスキャナードライバー１０２について纏めると、次のようになる。すなわち、スキャナードライバー１０２は、プレビュー指示を受け付け、読取部１０によって所定解像度で用紙Ｐを読み取った結果をプレビュー画像として「表示手段」としてのディスプレイ１０１に表示させ、プレビュー画像においてバックライトの光量をプレビュー画像取得時における光量よりも抑制する抑制エリア５２をユーザーに指定させるための指定画面５１をディスプレイ１０１に表示させ、抑制エリアに５２係る情報を取得する機能を含む。
【０１０３】
スキャナードライバー１０２は、プレビュー画像においてバックライトの光量をプレビュー画像取得時における光量よりも抑制する抑制エリア５２をユーザーに指定させるための指定画面５１をディスプレイ１０１に表示させ、抑制エリア５２に係る情報を取得するので、抑制エリア５２でのバックライトの光量を抑えて適切な画像を得ることができる。
【０１０４】
尚、本発明は上記において説明した各実施形態に限定されることなく、特許請求の範囲に記載した発明の範囲内で、種々の変形が可能であり、それらも本発明の範囲内に含まれるものであることは言うまでもない。
【符号の説明】
【０１０５】
１…ドキュメントスキャナー（画像読取装置）、２…筐体、３…下部ユニット、４…上部ユニット、５…排紙トレイ、６…給送口、７…操作パネル、８…補助ペーパーサポート、９…搬送部、１０…読取部、１１…媒体載置部、１１ａ…載置面、１２…エッジガイド、１３…ガイド面、１４…給送ローラー、１５…分離ローラー、１６…第１搬送ローラー対、１６ａ…第１駆動ローラー、１６ｂ…第１従動ローラー、１７…第２搬送ローラー対、１７ａ…第２駆動ローラー、１７ｂ…第２従動ローラー、１８…排出口、１９…制御部、２２…第１検出部、２３…第２検出部、２４…第３検出部、２５…第４検出部、２６…第１駆動源、２７…第２駆動源、２８…重送検出部、３０…上側読取ユニット、３１…第１透過板、３２…第１読取部、３３…第１光源、３５…第１レンズ部、３６…第１センサー部、３７…第１背景板、３８…遮光板、４０…下側読取ユニット、４１…第２透過板、４２…第２読取部、４３…第２光源、４５…第２レンズ部、４６…第２センサー部、４７…第２背景板、４８…遮光板、５０…第１のバックライト、５１…指定画面、５２…抑制エリア、６０…第２のバックライト、Ｐ…用紙（媒体）、Ｇ…穴有り用紙、Ｈ…穴、Ｒ…媒体搬送経路
【図１】
2019134281.tif 000003
【図２】
2019134281.tif 000004
【図３】
2019134281.tif 000005
【図４】
2019134281.tif 000006
【図５】
2019134281.tif 000007
【図６】
2019134281.tif 000008
【図７】
2019134281.tif 000009
【図８】
2019134281.tif 000010
【図９】
2019134281.tif 000011
【図１０】
2019134281.tif 000012
【図１１】
2019134281.tif 000013
【図１２】
2019134281.tif 000014
【図１３】
2019134281.tif 000015
【図１４】
2019134281.tif 000016